(57)【特許請求の範囲】
【請求項１】
上側カバーと下側カバーが組み合わされて成るカードケースと、
このカードケース内の内部空間内に収容配置される回路基板と、
カードケースの外側に回動自在に配設され回路基板に形成されている回路に電気的に接続しているアンテナとを備えたカード装置において、
カードケースの側壁には、アンテナの基端側に設けられている導体材料から成るアンテナ回転軸をカードケース外側からカードケース内側に回路基板の基板面に沿う方向に挿入させるための貫通孔が設けられ、
その貫通孔を通ってカードケース内部に挿入されたアンテナ回転軸部分を回路基板から浮いた状態で回動自在にカードケースに支持するアンテナ回転軸支持部がカードケース内壁面に設けられており、
また、カードケース内部に挿入されているアンテナ回転軸部分とこれに対向する回路基板部分との間には、そのアンテナ回転軸部分に付勢力を加える弾性を有する給電端子が介設されており、
この給電端子は、略Ｕ字状に形成され、略Ｕ字状の一方の端部がアンテナ回転軸が対向する回路基板の表面位置に設けられた回路のアンテナ接続部に固定されて回路基板の回路に電気的に接続され、
また、当該給電端子は、付勢力によってアンテナ回転軸に押圧接触していることを特徴とするカード装置。
【請求項２】
上側カバーと下側カバーが組み合わされて成るカードケースと、
このカードケース内の内部空間内に収容配置される回路基板と、
カードケースの外側に回動自在に配設され回路基板に形成されている回路に電気的に接続しているアンテナとを備えたカード装置において、
カードケースの側壁には、アンテナの基端側に設けられている導体材料から成り、先端部が中央部よりも細く形成されたアンテナ回転軸をカードケース外側からカードケース内側に回路基板の基板面に沿う方向に挿入させるための貫通孔が設けられ、
その貫通孔を通ってカードケース内部に挿入されたアンテナ回転軸部分を回路基板から浮いた状態で回動自在にカードケースにアンテナ回転軸の先端を支持するアンテナ回転軸支持部がカードケース内壁面に設けられており、
また、カードケース内部に挿入されているアンテナ回転軸の先端側の細く形成された部分とこれに対向する回路基板部分との間には、そのアンテナ回転軸部分に付勢力を加える弾性を有する給電端子が介設されており、
この給電端子は、アンテナ回転軸が対向する回路基板の位置に設けられた回路のアンテナ接続部に固定されて回路基板の回路に電気的に接続され、
また、当該給電端子は、付勢力によってアンテナ回転軸に押圧接触していることを特徴とするカード装置。
【請求項３】
上側カバーと下側カバーが組み合わされて成るカードケースと、
このカードケース内の内部空間内に収容配置される回路基板と、
カードケースの外側に回動自在に配設され回路基板に形成されている回路に電気的に接続しているアンテナとを備えたカード装置において、
カードケースの側壁には、アンテナの基端側に設けられている導体材料から成り、先端部が中央部よりも細く形成されたアンテナ回転軸をカードケース外側からカードケース内側に回路基板の基板面に沿う方向に挿入させるための貫通孔が設けられ、
その貫通孔を通ってカードケース内部に挿入されたアンテナ回転軸部分を回路基板から浮いた状態で回動自在にカードケースにアンテナ回転軸の先端を支持するアンテナ回転軸支持部がカードケース内壁面に設けられており、
また、カードケース内部に挿入されているアンテナ回転軸の先端側の細く形成された部分とこれに対向する回路基板部分との間には、そのアンテナ回転軸部分に付勢力を加える弾性を有する給電端子が介設されており、
この給電端子は、略Ｕ字状に形成され、略Ｕ字状の一方の端部がアンテナ回転軸が対向する回路基板の表面位置に設けられた回路のアンテナ接続部に固定されて回路基板の回路に電気的に接続され、
また、当該給電端子は、付勢力によってアンテナ回転軸に押圧接触していることを特徴とするカード装置。
【請求項４】
上側カバーと下側カバーが組み合わされて成るカードケースと、
このカードケース内の内部空間内に収容配置される回路基板と、
カードケースの外側に回動自在に配設され回路基板に形成されている回路に電気的に接続しているアンテナとを備えたカード装置において、
カードケースの側壁には、アンテナの基端側に設けられている導体材料から成り、先端部よりも中央部が太く形成され、中央部にはリング状の張り出し部が一体に形成されたアンテナ回転軸をカードケース外側からカードケース内側に回路基板の基板面に沿う方向に挿入させるための、張り出し部の外径よりも大きい内径を有する拡径部と、アンテナ回転軸の中央部の外径よりも大きい内径を有する嵌合部とが、カードケースの外側から順次一体に形成された貫通孔が設けられ、
その貫通孔を通ってカードケース内部に挿入されたアンテナ回転軸部分を回路基板から浮いた状態で回動自在にカードケースにアンテナ回転軸の先端を支持するアンテナ回転軸支持部がカードケース内壁面に設けられており、
嵌合部と張り出し部の間にはＯリングを介在させるとともに、貫通孔の嵌合部側の出口位置のアンテナ回転軸にはＥリングを装着し、
また、嵌合部とアンテナ回転支持部との間のカードケース内部に挿入されているアンテナ回転軸の先端側部分とこれに対向する回路基板部分との間には、そのアンテナ回転軸部分に付勢力を加える弾性を有する略Ｕ字状の給電端子が介設されており、
この給電端子は略Ｕ字状に形成され、略Ｕ字状の一方の端部がアンテナ回転軸が対向する回路基板の表面位置に設けられた回路のアンテナ接続部に固定されて回路基板の回路に電気的に接続され、
また、当該給電端子は、付勢力によってアンテナ回転軸に押圧接触していることを特徴とするカード装置。
【発明の詳細な説明】
【技術分野】
【０００１】  本発明は、例えばパソコン等の電子機器に装着されて使用されるカード装置に関するものである。
【背景技術】
【０００２】  図４にはカード装置の一外観例が簡略化した模式図により示されている。このカード装置４１は、カードケース４２と、このカードケース４２内に収容配置されている回路基板４３と、カードケース４２の外側に回動自在に配設され回路基板４３に形成されている回路（図示せず）に電気的に接続するアンテナ４４とを有して構成されている。【０００３】  アンテナ４４の基端側には導体材料から成るアンテナ回転軸４５が形成され、カードケース４２の側壁には、そのアンテナ回転軸４５をカードケース４２の外側から内側に挿入させるための貫通孔が設けられている。このアンテナ回転軸挿通用の貫通孔を通してカードケース４２の内部に挿入されたアンテナ回転軸４５は、回路基板４３に設けられている回路に電気的に接続されている。これにより、アンテナ４４はアンテナ回転軸４５を介して回路基板４３の回路に電気的に接続されている。【０００４】
【特許文献１】特開２００１−３３９２１１号公報
【特許文献２】特開２００２−３７４１１１号公報
【発明の開示】
【発明が解決しようとする課題】
【０００５】  ところで、アンテナ回転軸４５は回動することから、このアンテナ回転軸４５の回動に起因した様々な理由によって、アンテナ回転軸４５を直接的に回路基板４３に接続することは好ましくない。このことから、例えば、図５の模式的な断面図に示されるような給電端子４６を利用して、アンテナ回転軸４５を回路基板４３の回路に電気的に接続させる構成が提案されている（例えば特許文献１参照）。【０００６】  この図５の例では、給電端子４６は導体材料により構成されており、アンテナ回転軸４５が接触接続するアンテナ回転軸接続用部位４６Ａと、回路基板４３の基板面に形成された回路のアンテナ接続用ランド４７に接触接続する回路接続用部位４６Ｂとを有して構成されている。アンテナ回転軸４５が給電端子４６のアンテナ回転軸接続用部位４６Ａに接触接続し、給電端子４６の回路接続用部位４６Ｂが回路基板４３のアンテナ接続用ランド４７に接触接続することで、アンテナ４４は、アンテナ回転軸４５と給電端子４６を介して回路基板４３の回路に電気的に接続することができる。なお、図５に示される符号４８は、アンテナ接続用ランド４７を回路の例えば無線通信用の高周波回路（図示せず）に接続させるための配線パターンを示している。【０００７】  図５に示されるような給電端子４６を利用して、アンテナ回転軸４５を回路基板４３の回路に電気的に接続させる構成にすると、次に示すような問題が発生する。つまり、給電端子４６は、アンテナ回転軸４５が接触接続する部分４６Ａと、回路基板４３のアンテナ接続用ランド４７に接触接続する部分４６Ｂとが、回路基板４３の上方側から見たときに並設配置される構成である。このように、給電端子４６は、アンテナ回転軸接続用部位４６Ａと回路接続用部位４６Ｂが並設される構成であるし、アンテナ回転軸４５やアンテナ接続用ランド４７との接触接続不良を防止する観点から、アンテナ回転軸接続用部位４６Ａや回路接続用部位４６Ｂの大きさを小さくするのには限界があることから、カード装置４１における給電端子４６の占有面積の削減が難しいという問題がある。【０００８】  また、アンテナ４４と、回路基板４３の回路との間を導通する信号は、給電端子４６のアンテナ回転軸接続用部位４６Ａとアンテナ回転軸４５との接触接続部分と、給電端子４６の回路接続用部位４６Ｂと回路基板４３のアンテナ接続用ランド４７との接触接続部分との２箇所の接触接続部分を通ることとなる。それら接触接続部分は、導体同士が接触しているだけであるので、信号の導通不良が発生し易かったり、信号の導通損失（ロス）が大きくなるという問題が発生する。この問題により、カード装置４１の無線通信性能の信頼性の低下が心配される。また、給電端子４６とアンテナ接続用ランド４７との接触信頼性を上げるために、アンテナ接続用ランド４７の表面に金メッキ処理等を施すこととなり、高価なものとなっていた。【０００９】  本発明は、アンテナを回路基板の回路に接続させるための給電端子の占有面積の削減を図りながら、アンテナと回路基板の回路との電気的な接続（信号接続）の信頼性を高めることができ、しかも、製造が容易で、また、外部からの衝撃に強いカード装置を提供することを目的として��る。
【課題を解決するための手段】
【００１０】
この発明は、上側カバーと下側カバーが組み合わされて成るカードケースと、このカードケース内の内部空間内に収容配置される回路基板と、カードケースの外側に回動自在に配設され回路基板に形成されている回路に電気的に接続しているアンテナとを備えたカード装置において、カードケースの側壁には、アンテナの基端側に設けられている導体材料から成るアンテナ回転軸をカードケース外側からカードケース内側に回路基板の基板面に沿う方向に挿入させるための貫通孔が設けられ、その貫通孔を通ってカードケース内部に挿入されたアンテナ回転軸部分を回路基板から浮いた状態で回動自在にカードケースに支持するアンテナ回転軸支持部がカードケース内壁面に設けられており、また、カードケース内部に挿入されているアンテナ回転軸部分とこれに対向する回路基板部分との間には、そのアンテナ回転軸部分に付勢力を加える弾性を有する給電端子が介設されており、この給電端子は、略Ｕ字状に形成され、略Ｕ字状の一方の端部がアンテナ回転軸が対向する回路基板の表面位置に設けられた回路のアンテナ接続部に固定されて回路基板の回路に電気的に接続され、また、当該給電端子は、付勢力によってアンテナ回転軸に押圧接触していることを特徴としている。
【発明の効果】
【００１１】  この発明によれば、給電端子は、回路基板から浮いた状態で配置されているアンテナ回転軸部分と、これに対向する回路基板部分との間に介設され、当該給電端子は、付勢力によってアンテナ回転軸に押圧接触し、また、アンテナ回転軸が対向している回路基板の位置に設けられた回路のアンテナ接続部に固定されている。つまり、給電端子は、回路基板への固定と、回路基板の回路との電気的接続とが同じ位置で行われる上に、アンテナ回転軸に接触接続する部分と、回路基板の回路に接続する部分とが上下方向に配設される構成とした。この構成によって、この発明を構成する給電端子は、アンテナ回転軸接続用部位と回路接続用部位とが並設されている構成の給電端子に比べて、カード装置における給電端子の占有面積の削減が容易となる。【００１２】  また、給電端子を例えばはんだによって回路基板の回路のアンテナ接続部に固定する構成とすることによって、アンテナと回路基板の回路との間を通電する信号の導通経路において、導体同士の接触接続部分は、給電端子とアンテナ回転軸との接触接続部分だけの１箇所のみとすることができる。このように、信号導通経路において導体同士の接触接続部分を少なくできる構成であるので、接触接続に起因した導通不良の発生や、信号ロス増加問題を抑制することができる。これにより、アンテナと回路基板の回路との電気的な接続（信号接続）の信頼性を高めることができて、カード装置の無線通信性能の信頼性を向上させることができる。また、給電端子を、回路基板の例えばランド等から成るアンテナ接続部に接触接続させるのではなく、本発明では、給電端子を回路基板のアンテナ接続部に例えばはんだ等により固定するので、給電端子とアンテナ接続部（例えばランド）との接触接続の信頼性を上げるために例えばランドの表面に金メッキを施す等の処理が不要となる。このため、製造コストを下げることができて、安価なカード装置を提供できるようになる。【００１３】  さらに、給電端子を例えばはんだによって回路基板に固定する構成とすることによって、例えば回路基板に電子部品をはんだ接続する工程で、給電端子も同時に回路基板に固定することが可能になる。これにより、例えば、給電端子をねじ留めするというような面倒な作業が不要となって、カード装置の製造工程の簡略化を図ることができる。これにより、カード装置の製造コストを低減することができて、カード装置の低コスト化を図ることができる。【００１４】  さらに、アンテナ回転軸はカードケース側壁と、カードケース内壁面に設けられたアンテナ回転軸支持部とによって支持されているために、アンテナに衝撃が加えられ当該外部ストレスがアンテナ回転軸にも加えられた場合に、そのアンテナ回転軸に加えられた外部ストレスをカードケース側壁や、アンテナ回転軸支持部を通してカードケースに逃がすことができる。また、アンテナ回転軸に接触接続している給電端子は弾性を有するために、アンテナ回転軸から給電端子に外部ストレスが加えられても当該外部ストレスは給電端子の弾性に吸収されて、外部ストレスが給電端子を介して回路基板に加えられることは防止される。すなわち、この発明の構成を備えることによって、アンテナに衝撃が加え���れた場合に、その外部ストレスがアンテナ回転軸を通して直接的に回路基板に加えられる事態を回避できる。これにより、例えば、給電端子が回路基板から剥がれる等の問題を防止できる。【００１５】  さらに、外部ストレスによって、アンテナ回転軸が多少変形してしまっても、給電端子の弾性によって、アンテナ回転軸と給電端子との接触接続を維持することが可能となる。このため、外部からの衝撃に対して強いカード装置を提供することができる。【００１６】  さらに、アンテナ回転軸挿通用の貫通孔が設けられているカードケース側壁と、アンテナ回転軸支持部との間のアンテナ回転軸部分に給電端子が押圧接触する構成を備えることによって、給電端子は、カードケース側壁と、アンテナ回転軸支持部とによって両持ち支持されている部分のアンテナ回転軸部分に押圧接触することになる。このため、カード装置の機械的強度を強めることができる。【００１７】  さらに、アンテナの回動調節位置を摩擦力を利用して保持するためのアンテナ回動位置保持手段が設けられている構成を備えることによって、アンテナを回動させてアンテナの配置位置を調節したときに、その調節により適宜であると判断された位置にアンテナを保持することができる。【００１８】  さらに、回路基板はカードケースの下側カバーに固定され、アンテナ回転軸は上側カバーの内壁面に回動自在に支持され、上側カバーと下側カバーの組み合わせによって、下側カバーに固定されている回路基板の給電端子を、上側カバーに支持されているアンテナ回転軸に押圧接触させている構成を備えることによって、製造工程において、上側カバーと下側カバーを組み合わせるだけで、給電端子をアンテナ回転軸に押圧接触させることができる。このため、製造工程において、給電端子がアンテナ回転軸に押圧接触するように、給電端子に対するアンテナ回転軸の配置位置を調節する等の面倒な作業が不要となり、カード装置の製造を容易にすることができる。
【図面の簡単な説明】
【００２１】［図１］本発明に係るカード装置の一実施例において特徴的な構成部分を抜き出して示した模式的な断面図である。
［図２］本発明に係るカード装置の一実施例を分解状態により示したモデル図である。
［図３］図１や図２に示されるカード装置に組み込まれる給電端子の一形態例を示したモデル図である。
［図４］カード装置の一外観例を簡略化して示したモデル図である。
［図５］アンテナ回転軸を給電端子を介して回路基板の回路に電気的に接続させるための一構成例を説明するための図である。
【符号の説明】
【００２２】  １  カード装置
２  上側カバー
３  下側カバー
４  カードケース
５  回路基板
７  アンテナ
１２  アンテナ回転軸
１３  貫通孔
１８  アンテナ回転軸支持部
２０  給電端子
【発明を実施するための最良の形態】
【００２３】  以下に、この発明に係る実施例を図面に基づいて説明する。【００２４】  この実施例のカード装置は、図２の模式的な分解図に示されるように、上側カバー２と下側カバー３が組み合わされて成るカードケース４と、このカードケース４の内部空間に収容配置される回路基板５と、カードケース４の外側に回動自在に配置され回路基板５に形成されている回路６に電気的に接続しているアンテナ７とを有して構成されている。このカード装置１は、例えばパソコン等の電子機器のカード装着部に嵌合挿入されて使用されるもの（例えばＣＦカードなど）である。当該カード装置１は、電子機器のカード装着部に嵌合挿入したときにカード装着部から食み出すエクステンド部Ｅを有するエクステンドタイプのカード装置と成っている。なお、ＣＦ（コンパクトフラッシュ）は日本国特許庁より商標登録を受けている商標である。【００２５】  上側カバー２は、側壁を構成する例えば樹脂材料から成るフレーム１０と、例えば金属板により構成されているパネル１１とが一体化されて構成されている。また、下側カバー３は例えば金属板により構成されており、この下側カバー３には上側カバー２の側壁（つまり、フレーム１０）の外壁面に沿って伸長形成された伸設壁部３ａ，３ｂが形成されている。これら伸設壁部３ａ，３ｂのそれぞれの先端部は折り曲げられてフック部Ｆと成している。上側カバー２には、そのフック部Ｆを引っ掛け固定するためのフック受け部１０ｆが設けられている。【００２６】  この実施例では、上側カバー２のフレーム１０の底面部分が、下側カバー３の端縁部分（例えば、図２に示される斜線を施した部分Ｚａ）に、例えば接着剤や両面テープ等の接着材料によって接合されると共に、下側カバー３のフック部Ｆが上側カバー２のフック受け部１０ｆに引っ掛け固定されて、上側カバー２と下側カバー３が組み立てられてカードケース４が作製される。【００２７】  回路基板５は、下側カバー３に両面テープや接着剤等の接着材料によって固着されるか、あるいは、熱圧着により下側カバー３に固着された状態で、上側カバー２と下側カバー３が組み合わされて成るカードケース４の内部空間に収容配置される。【００２８】  アンテナ７は、例えば樹脂材料により構成されている保護ケース７ａと、この保護ケース７ａの内部に収容配置され電波の送信や受信を行うアンテナ本体（図示せず）とを有して構成され、このアンテナ７の基端側には、アンテナ本体に電気的に接続する導体材料から成るアンテナ回転軸１２が設けられている。【００２９】  図１には図２のＡ−Ａ部分の断面図が模式的に示されている。この図１に示されるように、上側カバー２には、フレーム１０の、エクステンド部Ｅを構成している部分の側壁に、アンテナ回転軸挿通用の貫通孔１３が形成されている。この貫通孔１３は、アンテナ回転軸１２をカードケース外側からカードケース内側に回路基板５の基板面に沿う方向に挿入させるためのものである。この貫通孔１３は、アンテナ回転軸１２がほぼ隙間無く挿通する嵌合部１３Ａと、この嵌合部１３Ａよりも拡径している拡径部１３Ｂとを有し、それら嵌合部１３Ａと拡径部１３Ｂは、カードケース４の内側から外側に向かう方向に順に配置されて���る。【００３０】  貫通孔１３の拡径部１３Ｂの内部には、当該拡径部１３Ｂと嵌合部１３Ａにより形成される段差Ｄに当接するワッシャー１４と、このワッシャー１４に当接するＯリング１５とが配置される。これらワッシャー１４とＯリング１５はアンテナ回転軸１２を通すことができるものである。【００３１】  アンテナ回転軸１２の基端側には、貫通孔１３の拡径部１３Ｂに嵌まる張り出し部１２Ａが形成されている。アンテナ回転軸１２を貫通孔１３に挿入する際には、例えば、アンテナ回転軸１２に前記Ｏリング１５とワッシャー１４を順に通した状態で、カードケース４の外側から貫通孔１３内に挿入する。この実施例では、ワッシャー１４が貫通孔１３内の段差Ｄに当接し、このワッシャー１４にＯリング１５が当接し、さらに、このＯリング１５にアンテナ回転軸１２の張り出し部１２Ａが当接して係止することで、アンテナ回転軸１２の挿入が停止する。この状態のアンテナ回転軸１２を抜け止めするために、カードケース４の内部からアンテナ回転軸１２にワッシャー１７が挿通され、また、Ｅリング１６が装着される。このＥリング１６はワッシャー１７を介してカードケース４内部における貫通孔１３の開口端縁に係止してアンテナ回転軸１２を抜け止めする。このような貫通孔１３とワッシャー１４，１７とＯリング１５とＥリング１６によって、アンテナ回転軸１２を回動自在な状態で上側カバー２に取り付けることができる。【００３２】  この実施例では、Ｏリング１５と、アンテナ回転軸１２の張り出し部１２Ａとによって、当該Ｏリング１５と張り出し部１２Ａとの当接部分に生じる摩擦力によりアンテナ７の回動調節位置を保持するアンテナ回動位置保持手段が構成されている。なお、アンテナ回転軸１２の張り出し部１２ＡとＯリング１５間の摩擦力が、アンテナ７のスムーズな回動を妨げることなく、かつ、アンテナ７の回動調節位置を保持することができる摩擦力となるように、Ｏリング１５の表面には、摩擦力調整のための潤滑材料が塗布形成されている。【００３３】  この実施例では、貫通孔１３内の段差ＤとＯリング１５との間にワッシャー１４が介設され、また、カードケース４の内側の貫通孔１３の開口端縁（フレーム１０の内側壁）とＥリング１６との間にワッシャー１７が介設されている。それらワッシャー１４，１７によって、貫通孔１３内の段差ＤとＯリング１５間や、フレーム１０の内側壁とＥリング１６間の摩擦を防止して摩擦によるフレーム１０やＯリング１５やＥリング１６の劣化による部品寿命の短命化を防止できる。【００３４】  上側カバー２の内壁面には、アンテナ回転軸１２の先端部分が配置される位置に、アンテナ回転軸支持部１８が設けられている。この実施例では、アンテナ回転軸支持部１８は、フレーム１０の内壁面からカードケース４内部に向けて突き出し形成された突出片１８ａにアンテナ回転軸挿通用の孔部１８ｂが設けられた形態を有しており、その孔部１８ｂにアンテナ回転軸１２の先端部分が挿通されることにより、アンテナ回転軸１２を回路基板５から浮いた状態で回動自在に上側カバー２（フレーム１０）に支持できる構成となっている。【００３５】  この実施例では、貫通孔１３が設けられているフレーム１０���側壁とアンテナ回転軸支持部１８との間に配置されているアンテナ回転軸部分と、これに対向する回路基板５との間に、導体材料から成る給電端子２０が介設されている。この給電端子２０は、例えば、図３の斜視図に示されるような形態を有し、アンテナ回転軸１２に付勢力を加える弾性を有するものである。【００３６】  回路基板５には、給電端子２０が配設される部分（換言すれば、アンテナ回転軸１２が対向する部分）には、回路基板５に設けられている回路６のアンテナ接続部として機能するアンテナ接続用ランド（図示せず）が設けられている。給電端子２０は、そのアンテナ接続用ランドに例えばはんだにより接合されて、回路基板５の回路６に電気的に接続すると共に、回路基板５に固定されている。【００３７】  この実施例では、前述したように回路基板５は下側カバー３に固定され、また、アンテナ回転軸１２は上側カバー２に取り付けられる。そのアンテナ回転軸１２が取り付けられた上側カバー２と、回路基板５が固定された下側カバー３とを組み合わせることによって、回路基板５に固定された給電端子２０が、アンテナ回転軸１２に押圧接触する構成となっている。【００３８】  ところで、アースターミナルやグランド端子などと呼ばれる図３に示される給電端子２０と同様な形態を持つ汎用の部品がある。カード装置専用の部品として給電端子２０を設計・作製してカード装置１に組み込んでもよいが、その汎用の部品を給電端子２０として採用することが可能である。このように、汎用の部品を給電端子２０として利用する場合には、給電端子２０を設計する必要が無くなるし、また、給電端子２０を作製するために新たな金型を作製するという手間や製造費も無くなって、製造コストを削減することができる。これにより、カード装置１のコスト低下を図ることが容易となる。【００３９】  なお、この発明はこの実施例の形態に限定されるものではなく、様々な実施の形態を採り得る。例えば、この実施例では、カード装置１は、エクステンドタイプのものであったが、もちろん、本発明は、エクステンド部Ｅを有していないタイプのカード装置にも適用することができるものである。【００４０】  また、この実施例では、上側カバー２は、例えば樹脂材料から成るフレーム１０に、金属板から成るパネル１１が設けられて成る形態であったが、例えば、上側カバー２は、フレーム１０にパネル１１が一体化された形状と同様な形態を持つ例えば全体が同じ樹脂材料（例えばポリカーボネート等の非晶性樹脂）から成る例えば成型技術により作製される一体成形体により構成されていてもよい。【００４１】  さらに、この実施例では、アンテナ回動位置保持手段は、Ｏリング１５を利用したものであったが、例えば、Ｏリング１５に代えて、ウエイブワッシャーを設け、アンテナ回動位置保持手段は、そのウエイブワッシャーと、アンテナ回転軸１２の張り出し部１２Ａとの間の摩擦力を利用して、アンテナ７の回動調節位置を保持する構成としてもよい。さらに、アンテナ回動位置保持手段は、ばねを利用した構成としてもよい。このように、アンテナ７の回動調節位置を保持するための機構には様々な構成があり、その何れの構成をもアンテナ回動位置保持手段として採用してよい���【００４２】  さらに、給電端子２０として、図３にその形態例を挙げたが、もちろん、給電端子２０の形態は、図３の形態に限定されるものではなく、アンテナ回転軸１２が対向する回路基板５の位置に例えばはんだ等により固定することができ、かつ、アンテナ回転軸１２に付勢力を加えて当該アンテナ回転軸１２に押圧接触することができる弾性を有する形態であれば、給電端子２０の形状は特に限定されるものではない。【００４３】  さらに、この実施例では、アンテナ回転軸支持部１８は、１つだけ設けられていたが、例えば、複数のアンテナ回転軸支持部１８を互いに間隔を介して設け、カードケース４内に挿入されたアンテナ回転軸１２は、それら複数のアンテナ回転軸支持部１８によって、複数箇所で支持される構成としてもよい。
【産業上の利用可能性】
【００４４】  本発明は、給電端子の占有面積を削減でき、また、製造コストの低下が容易なものであることから、例えば量産される小型なカード装置に有効である。
【図１】
0004205720.tif 000002
【図２】
0004205720.tif 000003
【図３】
0004205720.tif 000004
【図４】
0004205720.tif 000005
【図５】
0004205720.tif 000006